(57)【要約】【課題】小形で光取出効率を損なわずに、上方へ向かう光を低減し、下方の明るさを確保することができる照明装置を提供する。【解決手段】照明装置10は、灯体11、灯体11に配設される複数の光源20、光源20の光軸方向ｚの前方に配設される複数の反射体33を備える。反射体33は、円筒状で光軸方向ｚへ向けて拡開する反射筒部36、および反射筒部36の光軸方向ｚの前端上側から前方へ突出されるとともに下側が開放されたフード部38を有する。【選択図】図１
2018160425.tif 000002
【特許請求の範囲】
【請求項１】
灯体と；
前記灯体に配設される複数の光源と；
円筒状で光軸方向へ向けて拡開する反射筒部、およびこの反射筒部の光軸方向の前端上側から前方へ突出されるとともに下側が開放されたフード部を有し、前記光源の光軸方向の前方に配設された複数の反射体と；
を具備することを特徴とする照明装置。
【請求項２】
前記フード部は、後端側から前端側に亘って光軸中心へ向けて傾斜されている
ことを特徴とする請求項１記載の照明装置。
【請求項３】
前記フード部の光軸方向の長さは、前記反射筒部の光軸方向の長さよりも長い
ことを特徴とする請求項１または２記載の照明装置。
【発明の詳細な説明】
【技術分野】
【０００１】
本発明の実施形態は、複数の光源および複数の反射体を用いた照明装置に関する。
【背景技術】
【０００２】
従来、屋外で使用される投光器等の照明装置では、光軸方向の前方へ向けて拡開する反射鏡内に光源を配置している。
【０００３】
この照明装置では、使用環境によっては、上方へ光が照射されないようする必要がある。この場合、反射鏡の開口側に複数のルーバを配置し、上方へ向かう光を遮光している。
【０００４】
しかし、上方への必要な遮光角を確保するには、ルーバの光軸方向の長さが長くなって器具が大形になったり、ルーバの数を増やす必要があって光取出効率が低下する。
【先行技術文献】
【特許文献】
【０００５】
【特許文献１】特許第５０００４６４号公報
【発明の概要】
【発明が解決しようとする課題】
【０００６】
本発明が解決しようとする課題は、小形で光取出効率を損なわずに、上方へ向かう光を低減し、下方の明るさを確保することができる照明装置を提供することである。
【課題を解決するための手段】
【０００７】
実施形態の照明装置は、灯体、灯体に配設される複数の光源、光源の光軸方向の前方に配設される複数の反射体を備える。反射体は、円筒状で光軸方向へ向けて拡開する反射筒部、および反射筒部の光軸方向の前端上側から前方へ突出されるとともに下側が開放されたフード部を有する。
【発明の効果】
【０００８】
本発明によれば、小形で光取出効率を損なわずに、上方へ向かう光を低減し、下方の明るさを確保することが期待できる。
【図面の簡単な説明】
【０００９】
【図１】一実施形態を示す照明装置の断面図である。
【図２】同上照明装置の斜視図である。
【図３】同上照明装置の分解状態の斜視図である。
【図４】同上照明装置の正面図である。
【図５】同上照明装置の光源、反射筒部およびフード部の関係、および光源からの光線の状態を示す断面図である。
【発明を実施するための形態】
【００１０】
以下、一実施形態を、図１ないし図５を参照して説明する。
【００１１】
図１ないし図４に照明装置10として投光器を示す。この照明装置10は、灯体11、この灯体11を支持する支持体12、および灯体11（光源）に電源を供給する電源ユニット13を備えている。
【００１２】
そして、灯体11は、本体15、この本体15の後側に配設される光源ユニット16、本体15の前側に配設される光制御ユニット17を備えている。
【００１３】
本体15は、例えば金属材料によって、前後に開口する環状に形成されている。本体15の下部には、電源ユニット13からの給電ケーブルが配線される配線ボックス部18が設けられている。
【００１４】
また、光源ユニット16は、複数の光源20、およびこれら光源20を配設する放熱体21を備えている。
【００１５】
光源20は、面光源であり、ＣＯＢ（Chip On Board）モジュールによって構成されている。光源（ＣＯＢモジュール）20は、図５に示すように、基板23、この基板23に実装された複数の発光素子（ＬＥＤ）24、およびこれら発光素子24を封止する蛍光体層25を備えている。基板23上には発光素子24の実装領域の周囲に円環状の枠状部26が設けられ、この枠状部26の内側に蛍光体層25が形成されている。そして、蛍光体層25の表面が光を発光する発光面27であり、この発光面27は所定の直径の円形に形成されている。
【００１６】
光源20は、光源ホルダ28により基板23の周囲が保持されて放熱体21の前面に取り付けられている。光源ホルダ28は、基板23に電気的に接続されるとともに配線ボックス部18との間に配線する給電線が電気的に接続される端子構造が設けられている。
【００１７】
本実施形態では、図４に示すように、５つの光源20が用いられ、４つの光源20が放熱体21の前面の周辺域（灯体11の周辺域）に周方向に沿って等間隔に配設され、１つの光源20が放熱体21の前面の中央域（灯体11の中央域）に配設されている。そして、これら光源20は、同一のものが用いられ、そして、光源20であるＣＯＢモジュールにおいては、発光面27の直径が大きいほど発光効率が高い特性を有するため、発光面27の直径が大きいものを用いることが好ましい。
【００１８】
放熱体21は、例えば金属材料で形成されている。放熱体21は、平板状のベース30、およびこのベース30の背面から突出された複数の放熱フィン31を備えている。ベース30の前面に複数の光源20が取り付けられている。放熱フィン31は上下方向に沿って配設されており、放熱フィン31間に上下方向に空気が流通する間隙が設けられている。そして、ベース30が本体15の後側にパッキングを介して嵌合され、ボルト止めによって放熱体21が本体15に固定されている。
【００１９】
また、光制御ユニット17は、各光源20の光軸方向ｚの前方にそれぞれ配設される複数の反射体33、これら反射体33を収容するケース34、およびこのケース34の前面を覆う図示しない透光カバーを備えている。なお、各光源20の光軸方向ｚとは、発光面27の中心から垂直な中心軸である光軸が前方へ延びる方向である。
【００２０】
反射体33は、反射筒部36を有する複数の反射筒（反射鏡）37と、フード部38を有する複数のフード体39とを有し、これら反射筒37とフード体39とを組み合わせて構成されている。なお、反射体33は、反射筒37とフード体39とを一体に形成したものであってもよい。したがって、反射体33は、別体でも一体でもよく、反射筒部36およびフード部38を有していればよい。
【００２１】
反射筒37は、前後に開口する円筒状で、光軸方向ｚの後側から前方へ向けて拡開する反射筒部36を有している。反射筒部36の内面には、後側から前方へ向かって拡開する放物面形状の反射面41が形成されている。反射面41は、高反射特性を有する鏡面等に形成されている。反射筒部36の後端側には光源20の発光面27に対向して光が入射する円形の入射開口42が形成され、反射筒部36の前端側には光を出射する円形の出射開口43が形成されている。反射筒部36の前端周辺部には、フランジ部44が設けられている。
【００２２】
フード体39は、フード部38、および環状の取付枠部46を備えている。
【００２３】
フード部38は、取付枠部46の前端上側（反射筒部36の前端上側）から前方へ突出されているとともにフード部38の下側が開放されている。フード部38の内面側には高反射特性を有する鏡面等の反射面47が形成され、外面側には例えば黒色塗装等の反射防止処理が施された反射防止面48が形成されている。
【００２４】
フード部38は、光軸方向ｚと直交する方向の断面が光軸を中心とする円弧面に形成されているとともに、フード部38の後端側から前端側に亘って縮径するように構成されている。すなわち、フード部38は、フード部38の後端側から前端側に亘って光軸中心へ向けて傾斜されている。
【００２５】
フード部38の後端側と前端側との間は直線状に形成されている。なお、フード部38の後端側と前端側との間は反射面側が凹曲面となる曲線状に形成されていてもよい。
【００２６】
フード部38の光軸方向ｚの長さL1は、反射筒部36の光軸方向ｚの長さL2よりも長い寸法とされている。
【００２７】
フード部38は、反射筒部36の前端の上下方向半分の位置から上側に設けられている。本実施形態では、フード部38は、反射筒部36の前端の上下方向半分の位置よりも上側に設けられている。すなわち、フード部38は、光源20の光軸よりも上側に設けられている。
【００２８】
フード部38の前端は、反射面に対して垂直な径方向にカットした形状に形成されている。そのため、フード部38の前端の中央上端が両側下端よりも前方へ突出され、側面方向から見て光軸に対して斜めに形成されている。
【００２９】
フード体39の取付枠部46は、環状に形成され、反射筒37のフランジ部44の前側に配置されるフランジ部49を有している。
【００３０】
そして、反射筒37のフランジ部44およびフード体39のフランジ部49が反射体ホルダ51に保持されて本体15の前面側に取り付けられている。反射体ホルダ51は、各反射筒37が挿通される複数の挿通孔52が形成された円板状の取付板53を有している。この取付板53の前面側に反射筒37のフランジ部44およびフード体39のフランジ部49が配置され、これらが図示しないボルトとナットによって一体に固定されている。取付板53が本体15の前面側に取り付けられることにより、各光源20の光軸と各反射体33の光軸とが一致するように位置決め固定されている。
【００３１】
また、ケース34は、前後に開口するとともに後側から前側に向かって拡開する円筒状に形成されている。ケース34の後端は本体15の前面側に固定されている。ケース34の前端に例えば透明なガラスで円板状に形成された図示しない透光カバーが取り付けられている。
【００３２】
また、支持体12は、灯体11を回動可能に支持し、例えば構造物などの被設置部に灯体11を設置する。支持体12は、設置部56、およびこの設置部56の両側から折曲された一対のアーム部57を備えている。設置部56は、被設置部にボルトなどによって固定される。アーム部57の先端は本体15の両側から突設されている軸部材に回動可能に連結されており、軸部材を中心として本体15を含む灯体11を回動可能に支持する。アーム部57には、アーム部57に対して灯体11を締め付け固定するためのハンドル58が配設されている。そして、ハンドル58を緩めることにより、灯体11がアーム部57に対して回動可能となり、灯体11からの光照射方向を調整することができる。
【００３３】
また、電源ユニット13は、外部電源を入力し、所定の点灯電源に変換して光源20に供給する。電源ユニット13は、支持体12に取り付けられている。
【００３４】
そして、このように構成された照明装置10において、電源ユニット13から各光源20に点灯電源が供給されると、各光源20が発光し、各光源20の発光面27から出射する光が反射体33の内側に入射し、各反射体33によって配光が制御された光が透光カバーを透過して所定の照明エリアに照射される。
【００３５】
すなわち、図５に示すように、光源20の発光面27から出射された光が、入射開口42から反射筒部36内に入射し、フード部38の下側を通過して照明エリアへ向かう。
【００３６】
光源20の発光面27から上方へ向かって出射する直接光はフード部38によって制限される。
【００３７】
フード部38の前端側を上方へ向かって通過可能とする直接光の最大出射角度θは、光源20の発光面27の下端側から出射する直接光であり、光軸方向ｚに対して例えば１０°〜１５°に制限される。
【００３８】
直接光の最大出射角度θよりも上方へ向かう直接光は、フード部38の反射面47に入射し、下方へ向けて反射される。
【００３９】
そして、本実施形態の照明装置10によれば、反射筒部36の前端上側から前方へ突出するとともに下側が開放されたフード部38を有するため、ルーバを用いる場合に比べて小形で光取出効率を損なわずに、上方へ向かう光を低減し、下方の明るさを確保することができる。
【００４０】
また、フード部38の内面側には高反射特性を有する鏡面等の反射面47が形成されているため、器具効率を向上でき、一方、フード部38の外面側には例えば黒色塗装等の反射防止処理が施された反射防止面48が形成されているため、フード部38の外面側での不要な光の反射を防止できる。
【００４１】
また、フード部38は、光軸方向ｚと直交する方向の断面が光軸を中心とする円弧面に形成されているとともに、フード部38の後端側から前端側に亘って縮径するように構成されている。すなわち、反射筒部36は光軸方向ｚの前方へ向けて拡開されているのに対して、フード部38はフード部38の後端側から前端側に亘って光軸中心へ向けて傾斜されている。これにより、フード部38の光軸方向ｚの長さL1を長くすることなく、上方へ向かう光を低減することができる。
【００４２】
また、フード部38の光軸方向ｚの長さL1は、反射筒部36の光軸方向ｚの長さL2よりも長い寸法とされているため、上方へ向かう光を低減できる。
【００４３】
また、フード部38は、反射筒部36の前端の上下方向半分の位置から上側に設けられているため、上方へ向かう光を低減し、下方の明るさを確保することができる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
10    照明装置
11    灯体
20    光源
33    反射体
36    反射筒部
38    フード部
ｚ    光軸方向
【図１】
2018160425.tif 000003
【図２】
2018160425.tif 000004
【図３】
2018160425.tif 000005
【図４】
2018160425.tif 000006
【図５】
2018160425.tif 000007